(57)【要約】【課題】四季や地方に応じて角度の異なる日射しに対して最適設計することのできる庇及び建物を提供する。【解決手段】庇１は、上側外壁面１０３に前方に突出して設けられた庇本体部２と、庇本体部２の前方で所定間隔に水平に並べて設けられた複数の水平材３，３，…と、を備える。上側外壁面１０３から庇本体部２の前端部２aまでの長さＷ１、上側外壁面１０３から最前列の水平材３の前端部３aまでの長さＷ２、庇本体部２及び水平材３の鉛直方向の高さＴ、庇本体部２及び水平材３の上端部２３，３３から開口部１０１を有する室内Ｒの床部１０５の下面までの高さＨ、夏至の南中時における太陽角度α、冬至の南中時における太陽角度β、が式（１）、（２）を満たし、かつ、水平材３の傾斜面の高さＴ方向と直交する直交方向に対する傾斜角度が太陽角度βである。Ｈ×tan（９０−α）≦Ｗ２・・・（１）、Ｔ×tan（９０−β）≧Ｗ１・・・（２）【選択図】図３
2008223346.tif 000002
【特許請求の範囲】
【請求項１】
建物の開口部を形成する外壁面のうち開口部の上方に位置する上側外壁面に設けられる庇であって、
前記上側外壁面に前方に突出して設けられた庇本体部と、
前記庇本体部の前方で所定間隔に水平に並べて設けられた複数の水平材と、を備え、
前記庇本体部及び複数の水平材は、前後に互いに隣接する対向面が前方から背面側にかけて下方に傾斜する傾斜面とされ、
前記庇本体部及び前記複数の水平材の上端部及び下端部がそれぞれ等しい高さに配置され、かつ、前記庇本体部及び前記複数の水平材の下端部が前記開口部の上端部に等しい高さに配置され、
前記上側外壁面から前記庇本体部の前端部までの長さＷ１と、
前記上側外壁面から複数の水平材のうち最前列の水平材の前端部までの長さＷ２と、
前記庇本体部及び前記水平材の鉛直方向の高さＴと、
前記庇本体部及び前記水平材の上端部から前記開口部を有する室内の床部の下面までの高さＨと、
前記高さＴ方向と直交する直交方向に対する夏至の南中時における太陽角度αと、
前記高さＴ方向と直交する直交方向に対する冬至の南中時における太陽角度βと、が以下の式（１）〜式（２）を満たし、かつ、前記水平材の前記傾斜面の前記高さＴ方向と直交する直交方向に対する傾斜角度が前記太陽角度βであることを特徴とする庇。
Ｈ×tan（９０−α）≦Ｗ２・・・（１）
Ｔ×tan（９０−β）≧Ｗ１・・・（２）
【請求項２】
前記複数の水平材は、各水平材の前後に延在する支持材によって支持されていることを特徴とする請求項１に記載の庇。
【請求項３】
請求項１又は２に記載の庇を備えたことを特徴とする建物。
【発明の詳細な説明】
【技術分野】
【０００１】
本発明は、開口部を形成する外壁面に設けられる庇及び庇を備えた建物に関する。
【背景技術】
【０００２】
庇は、窓や出入口等の建物躯体の開口部の外部上方に設けられ、日よけや雨よけの役割を果たしている。このような庇として、例えば、弾性変形可能なルーバー格子材が所定間隔を隔てて構成したものが知られている（例えば、特許文献１参照）。
【特許文献１】特開２００５−１３９６７６号公報
【発明の開示】
【発明が解決しようとする課題】
【０００３】
ところで、夏場の日射しは強く、冬場の日射しは弱いため、夏場の日射しを遮り、冬場の日射しは室内に取り込むことが要求されている。また、地方によって夏場の日射しや冬場の日射しの角度が異なるため、上記特許文献１に記載の庇においては、ルーバー格子材の傾斜角度によっては、四季や地方の日射しに対応することができないという問題があった。
本発明は、上記事情に鑑みてなされたもので、四季や地方に応じて角度の異なる日射しに対して最適設計することのできる庇及び建物を提供することを目的としている。
【課題を解決するための手段】
【０００４】
上記課題を解決するため、請求項１の発明は、例えば、図１〜図３に示すように、建物１００の開口部１０１を形成する外壁面のうち開口部１０１の上方に位置する上側外壁面１０３に設けられる庇１であって、
前記上側外壁面１０３に前方に突出して設けられた庇本体部２と、
前記庇本体部２の前方で所定間隔に水平に並べて設けられた複数の水平材３，３，…と、を備え、
前記庇本体部２及び複数の水平材３，３，…は、前後に互いに隣接する対向面が前方から背面側にかけて下方に傾斜する傾斜面とされ、
前記庇本体部２及び前記複数の水平材３，３，…の上端部（例えば、上面板２３、上面３３）及び下端部（例えば、下端部２b、下面３４）がそれぞれ等しい高さに配置され、かつ、前記庇本体部２及び前記複数の水平材３，３，…の下端部（例えば、下端部２b、下面３４）が前記開口部１０１の上端部１０１aに等しい高さに配置され、
前記上側外壁面１０３から前記庇本体部２の前端部２aまでの長さＷ１と、
前記上側外壁面１０３から複数の水平材３，３，…のうち最前列の水平材３の前端部３aまでの長さＷ２と、
前記庇本体部２及び前記水平材３，３，…の鉛直方向の高さＴと、
前記庇本体部２及び前記水平材３，３，…の上端部（例えば、上面板２３、上面３３）から前記開口部１０１を有する室内Ｒの床部１０５の下面までの高さＨと、
前記高さＴ方向と直交する直交方向に対する夏至の南中時における太陽角度αと、
前記高さＴ方向と直交する直交方向に対する冬至の南中時における太陽角度βと、が以下の式（１）〜式（２）を満たし、かつ、前記水平材３，３，…の前記傾斜面の前記高さＴ方向と直交する直交方向に対する傾斜角度が前記太陽角度βであることを特徴とする。
Ｈ×tan（９０−α）≦Ｗ２・・・（１）
Ｔ×tan（９０−β）≧Ｗ１・・・（２）
【０００５】
請求項１の発明によれば、庇本体部２の前方には、複数の水平材３，３，…が所定間隔をあけて水平に並べて設けられているので、前後に互いに隣接する水平材３，３間の隙間を介して光が射し込むことになるが、上記式（１）〜（２）を満たし、かつ、水平材３，３，…の前記傾斜面の前記高さＴ方向と直交する直交方向に対する傾斜角度が太陽角度βであるので、四季や各地方に応じて日射角度の異なる日射しに対応した最適設計とすることができる。すなわち、各地方に応じた夏場の日射しを遮ることができるとともに、冬場の日射しを確実に室内へと取り込むことができる。
また、庇本体部２及び複数の水平材３，３，…の上端部（上面板２３、上面３３）及び下端部（下端部２b、下面３４）がそれぞれ等しい高さに配置され、かつ、庇本体部２及び複数の水平材３，３，…の下端部（下端部２b、下面３４）が開口部１０１の上端部１０１aに等しい高さに配置されているので、外観上すっきりとして見栄えも良い。
【０００６】
請求項２の発明は、例えば、図１〜図３に示すように、請求項１に記載の庇１において、
前記複数の水平材３，３，…は、各水平材３，３，…の前後に延在する支持材４，４によって支持されていることを特徴とする。
【０００７】
請求項２の発明によれば、複数の水平材３，３，…が、各水平材３，３，…の前後に延在する支持材４，４によって支持されているので、水平材３，３，…の取り付けが容易となるとともに水平材３，３，…を確実に支持固定することができる。
【０００８】
請求項３の発明は、例えば、図１、図３に示すように、建物１００において、請求項１又は２に記載の庇１を備えたことを特徴とする。
【０００９】
請求項３の発明よれば、上記式（１）〜（２）を満たし、かつ、水平材３，３，…の前記傾斜面の前記高さＴ方向と直交する直交方向に対する傾斜角度が太陽角度βである庇１を備えているので、四季や各地方に応じて日射角度の異なる日射しに対応した最適設計の建物１００とすることができる。すなわち、各地方に応じた夏場の日射しを遮ることができるとともに、冬場の日射しを確実に室内へと取り込むことができる。
【発明の効果】
【００１０】
本発明によれば、採風を確保でき、また、四季や地方の日射しに応じて、夏場の強い日射しを遮り、冬場の弱い日差しを取り込むことのできる最適設計とすることができる。
【発明を実施するための最良の形態】
【００１１】
以下、本発明の実施の形態について図面を参照しながら説明する。
図１は、庇が取り付けられた建物の１階部分を示した外観斜視図、図２は、庇の外観斜視図であり、一部破断した状態を示している。図３は、庇が取り付けられた建物の側断面図、図４は、庇の要部を示した側断面図である。
建物１００は、例えば床パネル、壁パネル、屋根パネル等のパネルを組み付けて構築されるパネル工法のものである。壁パネルは、図示しないが框材を矩形に組み立てた枠体の両面に面材を貼設し、これら面材の上から胴縁を介して外壁となるサイディングを取り付けた正面視矩形状のものであり、壁パネルに開口部１０１が形成され、開口部１０１に窓１０２が設けられている（なお、図１にのみ窓１０２を図示した）。この窓１０２に面して庇１が設けられ、窓１０２を形成する外壁面のうち上側外壁面１０３に前方に突出して設けられた庇本体部２と、庇本体部２の前方で所定間隔に水平に設けられた複数の水平材３，３，…と、庇本体部２及び水平材３，３，…を支持する支持材４，４と、を備えている。
【００１２】
庇本体部２は、図２及び図３に示すように、窓１０２に対して前後に互いに対向して配された平板状の前面板２１及び背面板２２と、前面板２１及び背面板２２の上端部に上側外壁面１０３に対して略垂直に配された上面板２３とを備え、これら前面板２１、背面板２２及び上面板２３が側断面視略三角形状に組み付けられてなり、内部が空洞とされている。背面板２２が上側外壁面１０３に面接触するように上側外壁面１０３に平行な面とされ、前面板２１が下方に向けて上側外壁面１０３側へと傾斜する傾斜面とされている。
また、図３に示すように、庇本体部２の前面板２１及び背面板２２の下端部２bと、上側外壁面１０３の下端部、すなわち開口部１０１の上端部１０１aとが等しい高さに設定されている。
庇本体部２は、例えば、積雪した場合にも耐え得るように、ある程度の強度を有する材料、例えば金属等から形成されている。
【００１３】
水平材３は、図２及び図３に示すように、平板状の左右に延在する長尺部材であって、前面３１及び背面３２が前後に互いに平行に配置され、上面３３及び下面３４も上下に互いに平行に配置されている。また、上面３３及び下面３４は、上側外壁面１０３に対して略垂直であり、前面３１及び背面３２が下方に向けて上側外壁面１０３側へと傾斜する傾斜面とされている。このような水平材３の側面形状は平行四辺形である。
また、図３に示すように、水平材３の下面３４（下端部）と、上側外壁面１０３の下端部、すなわち開口部１０１の上端部１０１aとが等しい高さに設定されている。
水平材３は、アルミニウムや木材等の軽量な材料から形成されている。
【００１４】
支持材４は、平板状の前後に延在する長尺部材であって、庇本体部２及び複数の水平材３，３，…が互いに所定間隔をあけて配置されるように庇本体部２及び複数の水平材３，３，…の両側端面にそれぞれ固定されている。各水平材３，３，…同士の間には隙間Ｓ，Ｓ，…が形成され、各隙間Ｓ，Ｓ，…を介して採光又は通気がなされるようになっている。
支持材４の前面４１は、最前列の水平材３の前面３１と同様の角度で傾斜した傾斜面とされており、前面４１は前面３１と略面一となっている。また、支持材４の背面４２は、庇本体部２の背面板２２と同様に上側外壁面１０３に面接触するように上側外壁面１０３に平行な面とされ、背面４２は背面板２２と略面一となっている。
そして、支持材４の上面４３は、庇本体部２の上面板２３及び水平材３の上面３３と略面一とされ、支持材４の下面４４は、庇本体部２の下端部２b及び水平材３の下面３４と略面一とされている。
【００１５】
このような庇１は、図３に示すように、庇本体部２の背面板２２（上側外壁面１０３）から庇本体部２の前端部２aまでの長さＷ１と、庇本体部２の背面板２２（上側外壁面１０３）から最前列の水平材３の前端部３aまでの長さＷ２と、庇本体部２及び水平材３の鉛直方向の高さＴと、庇本体部２の上面板２３及び水平材３の上面３３（上端部）から開口部１０１を有する室内Ｒの床部１０５の下面までの高さＨと、前記高さＴ方向と直交する直交方向に対する夏至の南中時における太陽角度αと、高さＴ方向と直交する直交方向に対する冬至の南中時における太陽角度βと、が以下の式（１）〜式（２）を満たし、かつ、水平材３の前面３１（傾斜面）の高さＴ方向と直交する直交方向に対する傾斜角度が太陽角度βである。
Ｈ×tan（９０−α）≦Ｗ２・・・（１）
Ｔ×tan（９０−β）≧Ｗ１・・・（２）
具体的には、東京では夏至の南中時における太陽角度α＝７７°であり、冬至の南中時における太陽角度β＝３１°である。
【００１６】
また、図４に示すように、水平材３の鉛直方向の高さＴと、水平材３の上面３３から下面３４までの傾斜面（前面３１又は背面３２）に沿った長さfと、各水平材３，３同士の重なり幅（前後方向の長さ）eと、上記太陽角度α及び太陽角度βとは、以下の式（３）及び式（４）を満たしている。
f＝Ｔ／sinβ・・・（３）
e＝Ｔ×tan（９０−α）・・・（４）
【００１７】
なお、図１〜図４に示す形状の庇本体部２及び水平材３，３…は一例であって、この水平材３の上面３３及び下面３４は上側外壁面１０３に対して略垂直で、上面３３と下面３４とは互いに平行であるとしたが、上記式（１）〜（４）を満たし、かつ、水平材３の前面（傾斜面）３１の高さＴ方向と直交する直交方向に対する傾斜角度が太陽角度βであれば、これに限られるものではない。また、庇本体部２は内部が空洞であるとしたが、水平材３のように内部が空洞でないものとしても良いし、反対に水平材３の内部を空洞としたものであっても良い。また、水平材３の個数も適宜変更可能である。
【００１８】
上述の構成からなる庇１は、庇本体部２の背面板２２及び支持材４の背面４２を上側外壁面１０３に当接させて、ネジや釘等の止着材によって取り付けられている。
【００１９】
以上のように、本発明の実施の形態によれば、庇本体部２の前方には、複数の水平材３，３，…が所定間隔をあけて水平に並べて設けられているので、前後に互いに隣接する水平材３，３間の隙間Ｓを介して光が射し込むことになるが、上記式（１）〜（２）を満たし、かつ、水平材３の前面（傾斜面）３１の高さＴ方向と直交する直交方向に対する傾斜角度が太陽角度βであるので、四季や各地方に応じて日射角度の異なる日射しに対応した最適設計とすることができる。すなわち、各地方に応じた夏場の日射しを遮ることができるとともに、冬場の日射しを確実に室内へと取り込むことができる。
また、庇本体部２の上端部（上面板２３）及び複数の水平材３，３，…の上端部（上面３３）が等しい高さに配置され、さらに、庇本体部２の下端部２b及び複数の水平材３，３，…の下端部（下面３４）がそれぞれ等しい高さに配置され、かつ、庇本体部２及び複数の水平材３，３，…の下端部２b，３４が開口部１０１の上端部１０１aに等しい高さに配置されているので、外観上すっきりとして見栄えが良い。
さらに、複数の水平材３，３，…及び庇本体部２が、その両側面で支持材４，４によって支持されているので、水平材３，３，…及び庇本体部２の取り付けが容易となるとともに水平材３，３，…を確実に支持固定することができる。
【００２０】
なお、本発明は上記実施の形態に限定されるものではなく、その要旨を逸脱しない範囲で適宜変更可能である。
例えば、上記実施の形態では、建物１００の１階部分の外壁面１０３に庇１を取り付けた場合を例に挙げたが、これに限らず図５に示すように２階部分の外壁面にも同様にして庇１を取り付けることができる。この場合、上述した高さＨを、２階部分に取り付けられた庇本体部２の上面板２３及び水平材３の上面３３（上端部）から１階部分に取り付けられた庇本体部２の上面板２３及び水平材３の上面３３（上端部）までの高さＨ１として、上記式（１）〜（２）を満たすように設定すれば良い。なお、図５中、２階部分に取り付けた庇１は、上述した１階部分に取り付けた庇１と同様の構成であるので、同様の符号を付している。
また、上記実施の形態では、二本の支持材４，４を使用し、庇本体部２の両側端面及び各水平材３，３，…の両側面にそれぞれ固定するものとしたが、最前列の水平材３と、二本の支持材４，４と庇本体部２とを矩形枠状に形成しておき、形成した矩形枠内に複数の水平材３，３，…を所定間隔をあけて組み付ける構成としても良い。
【図面の簡単な説明】
【００２１】
【図１】１階部分の外壁面に庇が取り付けられた建物の要部を示した外観斜視図である。
【図２】庇の外観斜視図である。
【図３】庇が取り付けられた建物の側断面図である。
【図４】庇の要部を示した側断面図である。
【図５】１階部分及び２階部分の外壁面に庇が取り付けられた建物の要部を示した概観斜視図である。
【符号の説明】
【００２２】
１  庇
２  庇本体部
２a  前端部
２b  下端部
３  水平材
３a  前端部
４  支持材
２３  上面板（上端部）
３３  上面（上端部）
３４  下面（下端部）
１００  建物
１０１  開口部
１０１a  上端部
１０１b  下端部
１０３  上側外壁面
１０５  床部
Ｗ１  長さ
Ｗ２  長さ
Ｈ１  高さ
Ｈ２  高さ
Ｔ  高さ
Ｒ  室内
α  冬至の南中時における太陽角度
β  夏至の南中時における太陽角度
【図１】
2008223346.tif 000003
【図２】
2008223346.tif 000004
【図３】
2008223346.tif 000005
【図４】
2008223346.tif 000006
【図５】
2008223346.tif 000007